(57)【特許請求の範囲】
【請求項１】
ある量の液体を収容するアンプルの開封装置であって、該アンプルが、本体と、ヘッド部と、を備え、該装置が、
長手方向中心軸に沿って前記アンプルの前記本体を保持するように構成され、かつそのための寸法である、アンプルホルダと、
前記アンプルの前記ヘッド部を保持するように構成され、かつそのための寸法である、ヘッド部ホルダと、
ガイド部であって、前記ヘッド部ホルダに係合し、前記アンプルホルダが前記長手方向中心軸に沿って第１の方向に進むとき、前記長手方向中心軸上の初期位置から前記長手方向中心軸からオフセットされた第２の位置まで前記ガイド部に沿って移動するように前記ヘッド部ホルダを方向付けるよう構成される、ガイド部と、を備え、
前記装置が、前記ガイド部によって前記初期位置から前記第２の位置まで前記ヘッド部ホルダを方向付けると、前記アンプルの前記本体から前記アンプルの前記ヘッド部を切り離すように構成される、装置。
【請求項２】
前記ヘッド部ホルダ及び前記ガイド部を収容するための内部空間を画定するハウジングを更に備え、該ハウジングが、前記アンプルホルダと摺動係合している第１末端部と、前記内部空間と流体連通している出口に隣接する第２末端部と、を備える、請求項１に記載の装置。
【請求項３】
前記アンプルホルダと前記ハウジングとの間に配置される付勢要素を更に備え、該付勢要素が、前記アンプルホルダに対して前記第１の方向と反対側の第２の方向に力を加えるように構成される、請求項２に記載の装置。
【請求項４】
前記装置が、
前記アンプルホルダを前記長手方向中心軸に沿って前記第１の方向に進めると、前記内部空間内に圧力上昇をもたらす、及び、
前記アンプルホルダを実質的に前記初期位置まで戻すと、前記内部空間内に圧力低下をもたらす、
のうちの少なくとも一方が起こるように構成される、請求項２に記載の装置。
【請求項５】
前記ガイド部が、前記初期位置から前記第２の位置までの前記ヘッド部ホルダ用の経路を画定し、該経路の少なくとも一部が、前記長手方向中心軸から横方向及び斜め方向の一方に延在する、請求項１に記載の装置。
【請求項６】
前記ヘッド部ホルダが旋回軸を備え、前記ヘッド部ホルダが、前記ガイド部によって前記初期位置から前記第２の位置まで前記ヘッド部ホルダを方向付けると、前記旋回軸の周りを回転するように構成される、請求項１に記載の装置。
【請求項７】
前記ガイド部が溝部を備え、前記ヘッド部ホルダが該溝部内に保持されるガイドピンを備え、前記溝部が、前記初期位置から前記第２の位置までの前記ガイドピン用の経路を画定する、請求項１に記載の装置。
【請求項８】
前記ガイド部が、前記長手方向中心軸に対して斜角で配置される剛性平面を備え、前記ヘッド部ホルダは、前記アンプルホルダが前記長手方向中心軸に沿って前記第１の方向に進むと、前記剛性平面に当接し、前記剛性平面に沿って並進するように構成されている、請求項１に記載の装置。
【請求項９】
アンプル切断用に手動操作される装置であって、
液体を収容する前記アンプルであって、長手方向中心軸の周りに配置される本体と、ヘッド部と、を備える、前記アンプルと、
内部空間の周りに配置される壁部を有するハウジングと、
該ハウジングと摺動係合し、前記アンプルの前記本体に固定されるアンプルホルダであって、前記ハウジングに対して移動可能である、アンプルホルダと、
前記ハウジングに旋回可能に固定され、前記内部空間内で前記アンプルの前記ヘッド部に固定されるヘッド部ホルダであって、前記長手方向中心軸上の初期位置から、前記長手方向中心軸からオフセットされた第２の位置まで移動し、前記アンプルの前記ヘッド部を前記アンプルの前記本体から切り離すように構成される、ヘッド部ホルダと、
ガイド部であって、該ヘッド部ホルダに係合し、前記アンプルホルダが指圧によって第１の位置から前記長手方向中心軸に沿って進むとき、前記初期位置から前記第２の位置まで前記ガイド部に沿って移動するように前記ヘッド部ホルダを方向付けるように構成される、ガイド部と、を備える、装置。
【請求項１０】
前記アンプルホルダと前記ハウジングとの間に配置される付勢要素を更に備え、該付勢要素が、前記指圧を除くと前記アンプルホルダを前記第１の位置に向かって付勢するように構成される、請求項９に記載の装置。
【請求項１１】
前記ガイド部が溝部を備え、前記ヘッド部ホルダが該溝部内に保持されるガイドピンを備え、前記溝部が、前記初期位置から前記第２の位置までの前記ガイドピン用の経路を画定する、請求項９に記載の装置。
【請求項１２】
前記ヘッド部ホルダが、前記ガイド部によって前記初期位置から前記第２の位置まで前記ヘッド部ホルダを方向付けると、前記ガイドピンの周りを少なくとも９０度回転するように構成される、請求項１１に記載の装置。
【請求項１３】
前記ガイド部が、前記長手方向中心軸に対して斜角で配置される剛性平面を備える、請求項９に記載の装置。
【請求項１４】
前記ヘッド部は前記本体から前記第１の方向に沿って延びており、前記アンプルを開封するために前記アンプルホルダは前記長手方向中心軸に沿って前記第１の方向に進む、請求項１に記載の装置。
【請求項１５】
前記アンプルホルダは前記長手方向中心軸に沿って前記アンプルの前記本体とともに移動するように構成されている、請求項１に記載の装置。
【請求項１６】
前記ヘッド部は前記本体から前記長手方向中心軸に沿って第１の方向に延びており、前記アンプルを開封するために前記アンプルホルダは前記長手方向中心軸に沿って前記第１の方向に進む、請求項９に記載の装置。
【請求項１７】
前記アンプルホルダは前記長手方向中心軸に沿って前記アンプルの前記本体とともに移動するように構成されている、請求項９に記載の装置。
【発明の詳細な説明】
【技術分野】
【０００１】
（関連出願の相互参照）
本願は、２０１２年４月３日に出願された米国特許仮出願第６１／６１９，７５６号に対する優先権の利益を主張するものであり、該特許仮出願は参照によりその全体が本明細書に組み込まれる。
【０００２】
（発明の分野）
本発明は一般に、アンプル開封装置に関する。より具体的には、いくつかの実施形態では、本発明は、物質（例えば、液体物質）を含有するアンプルを開封し、アンプルから別の装置に物質を移動する装置に関する。本発明の更なる実施形態は、アンプルの開封方法に関する。
【背景技術】
【０００３】
医薬品及び他の化学品などの様々な物質が、使用に先立ってアンプル内にパッケージ化されて保管される。アンプルは、典型的には、主要な収容部を形成する円筒形本体と、より小さく先細のヘッド部分と、その間のより狭いネック部分と、から構成される。当該技術分野において従来用いられるアンプルは、ガラスなどの壊れやすい材料から作られ、内部に保管される物質にアクセスするには、ユーザーが切らなくてはならない。通常は、ネック部分でアンプルを切り、ヘッド部を本体から分離する。
【発明の概要】
【発明が解決しようとする課題】
【０００４】
アンプルを手で切る場合があるため、ユーザーにとって多くのリスクが生じる。例えば、アンプルを切ることによって、物質中及び／又は周囲環境中に砕片及びかけらが放出される場合がある。アンプルを切った場所に、鋭利な、つまりぎざぎざした縁部が生じることもあり、ユーザーにとって危険なものとなる。更に、アンプル中に保管される物質が、揮発性及び／又は反応性である場合があり、アンプルを切る最中又は切った後にこぼした際に、ユーザーが物質に曝露されることがある。アンプルが切られると、ユーザーが、材料から放出されるフュームに曝される恐れもある。
【課題を解決するための手段】
【０００５】
いくつかの実施形態によると、本発明はアンプル開封装置を提供する。いくつかの実施形態では、この装置は、アンプル内の物質（例えば、液体物質）又はその物質から放出されるフュームへの、ユーザーの曝露を最小限にする又は防ぐように構成される。いくつかの実施形態では、この装置は、開封したアンプルの鋭利な、つまりぎざぎざした縁部、又はアンプルを開封すると生じる砕片及びかけらへの、ユーザーの曝露を防ぐように構成される。いくつかの実施形態では、本発明は、片手を用いて動作可能であり、アンプルを開封して、物質をアンプルから別の装置又は容器に移すように構成される、装置を提供する。
【０００６】
いくつかの実施形態では、本発明によるある量の物質（例えば、液体物質）を含有するアンプルの開封装置は、長手方向中心軸に沿ってアンプルの本体を保持するように構成され、かつそのための寸法であるアンプルホルダと、アンプルのヘッド部を保持するように構成され、かつそのための寸法であるヘッド部ホルダと、を備える。いくつかの実施形態では、この装置は、アンプルホルダに固定される本体と、ヘッド部ホルダに固定されるヘッド部と、を有する、アンプルを含む。いくつかの実施形態では、この装置は、ヘッド部ホルダに係合し、アンプルホルダが第１の位置から長手方向中心軸に沿って第１の方向に進むとき、長手方向中心軸上の初期位置から長手方向中心軸からオフセットされた第２の位置まで、ヘッド部ホルダを方向付けるよう構成される、ガイド部を更に備える。この装置は、好ましくはユーザーによる片手での手動操作用に構成され、かつそのための寸法であり、いくつかの実施形態では、アンプルホルダは、例えば、ユーザーが加える母指又は手の圧力によって第１の方向に前進可能である。
【０００７】
いくつかの実施形態では、ガイド部は、初期位置から第２の位置までのヘッド部ホルダ用の経路を画定する。いくつかの実施形態では、ガイド部によって画定される経路の少なくとも一部は、長手方向中心軸から横方向及び／又は斜め方向に延在する。いくつかの実施形態では、装置は、ガイド部によって初期位置から第２の位置までヘッド部ホルダを方向付けると、アンプルの本体からアンプルのヘッド部を切り離すように構成される。いくつかの実施形態では、ヘッド部ホルダは、ガイド部によって初期位置から第２の位置までヘッド部ホルダを方向付けると、アンプルの本体からアンプルのヘッド部を切り離すのに十分な力を加えるように構成される。いくつかの実施形態では、ガイド部は、長手方向中心軸に対して斜角で配置される剛性平面を備える。いくつかの実施形態では、ヘッド部ホルダは、アンプルホルダが第１の位置から長手方向中心軸に沿って第１の方向に進むと、剛性平面に当接し、平面に沿って並進するように構成される。別の実施形態では、ガイド部は、初期位置から第２の位置までのヘッド部ホルダ用の経路を画定する、溝部を備える。更なる実施形態では、ガイド部は溝部を備え、ヘッド部ホルダは溝部内に保持されるガイドピンを備え、溝部は、初期位置から第２の位置までのガイドピン用の経路を画定する。いくつかの実施形態では、溝部の少なくとも一部は、長手方向中心軸に対して横方向及び／又は斜め方向に延在する。いくつかの実施形態では、ヘッド部ホルダは、ガイド部によって初期位置から第２の位置までヘッド部ホルダを方向付けると、旋回軸の周りを回転する。いくつかの実施形態では、ヘッド部ホルダは、ガイドピンの軸の周りを回転する。いくつかの実施形態では、ヘッド部ホルダは、重力によって旋回軸の周りを回転可能である。いくつかの実施形態では、ヘッド部ホルダは、旋回軸の周りを少なくとも９０度回転するように構成される。いくつかの実施形態では、ヘッド部ホルダは、旋回軸の周りを９０度を超えて回転するように構成される。いくつかの実施形態では、旋回軸の周りのヘッド部ホルダの回転は、１８０度未満に制限される。いくつかの実施形態では、ヘッド部ホルダの回転により、アンプルの開封後、アンプルのヘッド部からの物質の取り出しを容易にする。
【０００８】
いくつかの実施形態では、装置は、ヘッド部ホルダ及びガイド部を収容するための内部空間を画定する、ハウジングを備える。ハウジングは、いくつかの実施形態によるアンプルホルダと摺動係合している第１末端部と、内部空間と流体連通している出口に隣接する第２末端部と、を備える。いくつかの実施形態では、ハウジングの第１末端部は、ハンドルを備える。いくつかの実施形態では、ハウジングの少なくとも一部は透明であり、例えば、内部空間の目視検査を可能にする。いくつかの実施形態では、装置は、アンプルホルダとハウジングとの間に配置される封止部を備え、この封止部は、アンプルホルダとハウジングとの間の気体又は液体の通過を実質的に防ぐように構成される。いくつかの実施形態では、装置は、内部空間と出口との間に配置されるフィルタを備え、このフィルタは、内部空間から出口までの液体の通過を可能にし、かつ内部空間から出口までアンプル破片の通過を防ぐように構成されている（例えば、十分な孔径を有する）。いくつかの実施形態では、ハウジングは、出口において、第２の装置に連結するよう構成される連結装置を更に備える。
【０００９】
いくつかの実施形態では、装置は、アンプルホルダとハウジングとの間に配置される付勢要素を備え、この付勢要素は、アンプルホルダに対して第１の方向と反対側の第２の方向に力を加えるように構成される。いくつかの実施形態では、付勢要素は、アンプルホルダに対して第１の方向と反対側の第２の方向に力を加えるように構成される。いくつかの実施形態では、付勢要素は、ハウジングの第１末端部に、又はそれに近接して配置される。いくつかの実施形態では、付勢要素は、アンプルホルダの周囲に配置されるコイルバネである。いくつかの実施形態による付勢要素は、アンプルホルダを実質的に第１の位置まで戻すように構成される。いくつかの実施形態では、アンプルホルダを実質的に初期位置まで戻す（例えば、付勢要素によって）と、内部空間内の圧力低下がもたらされる。いくつかの実施形態では、圧力低下は、アンプルの開封後、物質（例えば、液体物質）をアンプルからハウジングの内部空間まで引くのに十分なものである。いくつかの実施形態では、装置は、アンプルホルダを長手方向中心軸に沿って第１の方向に進めると、内部空間内に圧力上昇をもたらすように構成される。いくつかの実施形態では、内部空間内の圧力上昇は、ハウジングの内部空間からハウジングの出口までの物質（例えば、液体物質）の移動を容易にする。
【００１０】
本発明の一実施形態では、アンプルを切るために手動操作される装置は、長手方向中心軸の周りに配置される本体及びヘッド部を有するアンプルと、内部空間の周りに配置される壁部を有するハウジングと、ハウジングと摺動係合し、アンプルの本体に固定されるアンプルホルダと、ハウジングに旋回可能に固定され、内部空間内でアンプルのヘッド部に固定されるヘッド部ホルダであって、長手方向中心軸上の初期位置から長手方向中心軸からオフセットされた第２の位置まで移動し、アンプルのヘッド部をアンプルの本体から切り離すように構成されるヘッド部ホルダと、を備える。本実施形態のいくつかの変更例では、この装置は、ヘッド部ホルダに係合し、アンプルホルダが指圧によって第１の位置から長手方向中心軸に沿って進むとき、初期位置から第２の位置までヘッド部ホルダを方向付けるように構成される、ガイド部を更に備える。いくつかの実施形態では、ガイド部は、初期位置から第２の位置までのヘッド部ホルダ用の経路を画定する溝部を備え、この溝部の少なくとも一部は、長手方向中心軸に対して横方向及び／又は斜め方向に延在する。いくつかの実施形態では、ヘッド部ホルダは、溝部内に保持され、溝部に沿って並進可能なガイドピンを備える。いくつかの実施形態では、ヘッド部ホルダは、ガイド部によって初期位置から第２の位置までヘッド部ホルダを方向付けると、ガイドピンの軸の周囲を少なくとも９０度回転するように構成される。別の実施形態では、ガイド部は、長手方向中心軸に対して斜角で配置される剛性平面を備え、ヘッド部ホルダは、アンプルホルダが第１の位置から長手方向中心軸に沿って第１の方向に進むと、剛性平面に当接し、平面に沿って並進するように構成される。また、いくつかの実施形態による装置は、指圧が解放されると、アンプルホルダを第１の位置に向かって付勢するように構成される付勢要素を備えてもよい。いくつかの実施形態では、付勢要素は、アンプルホルダを実質的に第１の位置まで戻すように構成される。
【００１１】
また、本発明は、物質（例えば、液体）を含有するアンプルを開封する方法も提供する。一実施形態では、アンプルの開封方法は、アンプルを長手方向中心軸に沿って第１の方向に動かすことであって、アンプルの本体が長手方向中心軸の周りに配置されていることと、アンプルが第１の方向に動かされた際に、アンプルのヘッド部を長手方向中心軸から離れて横方向及び／又は斜め方向に方向付けて、アンプルのヘッド部をアンプルの本体から切り離すことと、を含む。いくつかの実施形態では、母指圧によってアンプルを第１の方向に動かす。いくつかの実施形態では、方法は、アンプルの本体から物質（例えば、液体）を取り出すことを更に含む。いくつかの実施形態では、方法は、アンプルのヘッド部から物質（例えば、液体）を取り出すことを更に含む。
【００１２】
本方法のいくつかの実施形態では、アンプルのヘッド部は、ハウジングの内部空間に配置され、ハウジングと旋回可能に係合するヘッド部ホルダに固定され、アンプルの本体は、ハウジングに対して長手方向中心軸に沿って摺動するように構成されるアンプルホルダに固定される。いくつかの実施形態では、長手方向中心軸に沿って第１の方向にアンプルを動かすことは、第１の位置から第２の位置まで、ハウジングに対して第１の方向にアンプルホルダを摺動させることを含む。いくつかの実施形態では、ヘッド部ホルダは、アンプルホルダがハウジングに対して第１の方向に摺動するとき、長手方向中心軸から離れて横方向及び／又は斜め方向にヘッド部ホルダを方向付けるガイド部（例えば、剛性平面又は溝部）と係合される。いくつかの実施形態では、この方法は、ハウジングに対して第１の方向と反対側の第２の方向にアンプルホルダを摺動させることによって、アンプルホルダを実質的に第１の位置まで戻すことを更に含む。いくつかの実施形態では、アンプルホルダは、アンプルホルダとハウジングとの間に配置される付勢要素（例えば、バネ）によって、実質的に第１の位置まで戻される。いくつかの実施形態では、この方法は、アンプルホルダが実質的に第１の位置まで戻るとき、ハウジングの内部空間の圧力を下げることを含む。いくつかの実施形態では、アンプルの本体から液体を取り出すことは、内部空間の圧力を下げることを含む。いくつかの実施形態では、アンプルの本体から物質（例えば、液体）を取り出すことは、ハウジングの内部空間の圧力を下げることによって少なくとも部分的に引き起こされる。
【００１３】
いくつかの実施形態では、この方法は、アンプルのヘッド部をアンプルの本体から切り離した後、アンプルのヘッド部を旋回又は回転させることを更に含む。いくつかの実施形態では、アンプルのヘッド部から液体を取り出すことは、アンプルのヘッド部をアンプルの本体から切り離した後、ヘッド部ホルダを旋回させることを含む。いくつかの実施形態では、アンプルのヘッド部を旋回又は回転させることは、アンプルのヘッド部からの物質（例えば、液体）の取り出しを容易にする。本方法のいくつかの実施形態では、アンプルのヘッド部から物質（例えば、液体）を取り出すことは、アンプルのヘッド部をアンプルの本体から切り離した後、ヘッド部ホルダを旋回させることによって引き起こされる。いくつかの実施形態では、ヘッド部ホルダは、約９０度旋回する。いくつかの実施形態では、ヘッド部ホルダは、少なくとも９０度旋回する。いくつかの実施形態では、ヘッド部ホルダは、９０度を超えて旋回する。いくつかの実施形態では、ヘッド部ホルダは、９０〜１８０度旋回する。
【００１４】
本方法のいくつかの実施形態では、物質（例えば、液体）は、本体及び／又はアンプルのヘッド部から、ハウジングの内部空間に取り出される。いくつかの実施形態では、この方法は、容器をハウジングに連結することと、ハウジングの内部空間から容器に物質（例えば、液体）を移すことと、を更に含む。いくつかの実施形態では、この方法は、ハウジングの内部空間内の圧力を上昇させ、内部空間から容器への物質の移動を促進することを含む。更なる実施形態では、この方法は、物質を容器に移す前に物質を濾過することを含む。いくつかの実施形態では、容器は、アンプルの物質を混合し、又は反応させるための第２の物質を含む。例えば、一実施形態では、アンプルは、第１の（例えば、液体）骨セメント成分を含み、容器は、第２の（例えば、乾燥）骨セメント成分を含む。
【図面の簡単な説明】
【００１５】
これまでの「課題を解決するための手段」並びに以降の「発明を実施するための最良の形態」は、添付の図面と併せて読むことでより良好に理解されるであろう。本発明を説明する目的で、図面には、現在好適な実施形態が図示されている。しかしながら、本発明は、異なる形態で具体化することができ、したがって、本明細書に記載される実施形態に限定して解釈されるべきではないことを理解されたい。
【図１Ａ】本発明の実施形態によって連続的に操作されている、アンプル開封装置の断面図を示す。
【図１Ｂ】本発明の実施形態によって連続的に操作されている、アンプル開封装置の断面図を示す。
【図１Ｃ】本発明の実施形態によって連続的に操作されている、アンプル開封装置の断面図を示す。
【図２】本発明の実施形態によるアンプル開封装置の断面図を示す。
【図３】本発明の別の実施形態によるアンプル開封装置の断面図を示す。
【図４Ａ】本発明の別の実施形態によって連続的に操作されている、アンプル開封装置の断面図を示す。
【図４Ｂ】本発明の別の実施形態によって連続的に操作されている、アンプル開封装置の断面図を示す。
【図４Ｃ】本発明の別の実施形態によって連続的に操作されている、アンプル開封装置の断面図を示す。
【発明を実施するための形態】
【００１６】
本発明の主題は、これから、代表的な実施形態が示される添付の図面を参照して、以下でより完全に説明される。しかしながら、本発明の主題は、異なる形態で具体化することができ、本明細書に記載される実施形態に限定して解釈されるべきではない。むしろ、これらの実施形態は、説明目的で及び当業者に可能性を与えるために提供されている。本明細書において言及される出版物、特許出願、特許、及びその他の参考文献は全て、その全体が参照により組み込まれるものとする。
【００１７】
本明細書に記載される実施形態は、液体を含有するアンプルに関する実践の説明に適する。しかし、この説明は、液体の実施形態に制限することを意図しない。実際には、別の物質をアンプルに含め、本発明の利益を享受させてよい。これらの物質には、ゲル、顆粒状物質、粉末、血漿、気体（gasseous）物質などが挙げられる。流動性物質を含むアンプルに関する実践は、液体物質に関して本明細書に記載される理由によって、本発明の利益を享受できる。
【００１８】
類似する参照番号が全体を通して類似する要素を示す図面を詳細に参照し、図１Ａ〜４Ｃには、物質（例えば、液体物質）を含有するアンプル、例えばアンプル２００を開封する装置１００の代表的な実施形態が示される。いくつかの実施形態では、装置１００は、アンプル２００から、例えば図１Ａ〜３に示されるような第２の装置３００に物質を移すように更に構成される。特定の好ましい実施形態では、装置１００は、ユーザーによる片手での手動操作用に構成され、かつそのための寸法である。好ましい実施形態では、装置１００は、任意の破損片が、アンプル２００から流出する物質を悪くさせる、又は汚染させることなく、アンプル２００の破損片を装置１００内に保持するように構成される。更に好ましい実施形態では、装置１００は、鋭利な、つまりぎざぎざした縁部、又はアンプル２００を開封すると生じる砕片及びかけらへの、ユーザーの曝露を防ぐように構成される。操作中に、装置１００が、アンプル２００の破損後に装置１００からフューム、気体、有害ガスなどが出るのを軽減する、防ぐ、又は実質的に防ぐことも好ましい。いくつかの実施形態では、装置１００は、アンプル２００内に含まれる物質へのユーザーの曝露を最小限にする、防ぐ、又は実質的に防ぐように構成される。
【００１９】
アンプル２００内に含まれる物質としては、従来アンプル内にパッケージ化されて保管される任意の物質を挙げることができる。いくつかの実施形態では、アンプル２００は液体物質を含む。本発明の特定の実施形態によるアンプル２００内に含まれ得る代表的な液体物質として、液体医薬品、液体モノマー、骨セメント成分、接着剤成分、又はその他揮発性及び／若しくは感受性化学物質が挙げられる。別の実施形態では、アンプル２００に、例えば、芳香性物質、化粧品、食品、又は健康若しくは栄養補助食品を収めてもよい。
【００２０】
アンプル２００は、当該技術分野において既知である任意の従来のアンプルとして作られてよい。好ましい実施形態では、アンプル２００は、内部に物質（例えば、液体物質）を保管するための密閉容器を形成可能な、ガラス又はその他壊れやすい物質で作られる。いくつかの実施形態では、アンプル２００は、第１末端部に本体２１０と、第２末端部にヘッド部２２０と、を含む。いくつかの実施形態によると、本体２１０は、ヘッド部２２０より大きい（例えば、より大きい直径、横寸法、幅、容量、高さ、及び／又は長さを有する）。一実施形態では、本体２１０は、側壁部２１２及びベース２１４を有する、全体的に円筒形の部分を含む。いくつかの実施形態では、ヘッド部２２０は、全体的に先細形状であってよく、先端部２２２を含む。更なる実施形態では、アンプル２００は、本体２１０とヘッド部２２０との間に配置される、ネック部２３０を含む。いくつかの実施形態では、ネック部２３０は、本体２１０とヘッド部２２０との間で一番小さい直径を有する、アンプル２００の部分であると言われる。いくつかの実施形態では、アンプル２００は、本体２１０が先細となりネック部２３０となっている先細部分を含む。いくつかの実施形態では、ベース２１４とネック部２３０との間の距離は、ネック部２３０と先端部２２２との間の距離より大きい。いくつかの実施形態では、ネック部２３０は、ヘッド部２２０の最大直径未満の直径を有し、ヘッド部２２０は、本体２１０の最大直径未満の最大直径を有する。本発明の特定の実施形態によると、装置１００は、ネック部２３０又はその付近で、本体２１０からヘッド部２２０を切り離すことによってアンプル２００を開封するよう構成される。
【００２１】
いくつかの実施形態では、装置１００は、操作中、装置１００内にアンプル２００をしっかりと固定するように構成される。アンプル２００をしっかりと固定することによって、装置１００内でアンプル２００を予測通り切ることと、また装置１００内でのアンプル２００の予測通り動くこととの両方を容易にでき、アンプル２００は全般的に制御された方法で切れ、本明細書に記載されるアンプル２００から物質を放出する。いくつかの実施形態では、装置１００は、装置１００内で、アンプル２００の１つ以上の構成要素を確実に保持するよう構成される、構成要素を備える。本発明の特定の実施形態によると、装置１００は、アンプル２００の本体２１０を保持するよう構成され、かつそのための寸法であるアンプルホルダ１３０を備える。いくつかの実施形態では、本体２１０は、アンプルホルダ１３０に固定される。いくつかの実施形態では、本体２１０は、本体２１０がアンプルホルダ１３０に固定されると、本体２１０がアンプルホルダ１３０に対して動くことができない又は実質的に動くことができないように、アンプルホルダ１３０に強く固定される。いくつかの実施形態では、アンプルホルダ１３０は、本体２１０の周りに周囲方向に配置するよう構成される管状部分を備える。いくつかの実施形態では、アンプルホルダ１３０は、本体２１０の少なくとも一部を完全に取り囲むように構成される。いくつかの実施形態では、アンプルホルダ１３０は、例えば図４Ａ〜４Ｃに示されるように、ベース２１４を更に取り囲む及び／又は囲い込むように構成される。好ましくは、アンプルホルダ１３０は、操作中、アンプル２００を予測通りの制御された方式で開封するように、アンプル２００を位置付けるように構成される。
【００２２】
いくつかの実施形態では、アンプルホルダ１３０は、装置１００の別の機能態様に対して露出する位置に、アンプル２００を保持するように構成される。アンプルホルダ１３０は、本体２１０がアンプルホルダ１３０に係合するとき、アンプル２００のベース２１４がアンプルホルダ１３０の開放端部を超えて延在するように構成されてよい。いくつかの実施形態では、アンプルホルダ１３０は、アンプル２００のベース２１４とネック部２３０との間の距離未満の長さを有する。更なる実施形態では、アンプルホルダ１３０は、ネック部２３０及び／又はヘッド部２２０の周りに配置されないように構成される。
【００２３】
いくつかの実施形態では、アンプル２００の位置を装置１００に対して固定するように機能する装置１００の特徴部は、装置１００内でアンプル２００が開封される（例えば、切られる）とき、アンプル２００内に含まれる物質の流れを制限する、防ぐ、又は実質的に防ぐようにも構成される。いくつかの実施形態では、装置１００は、本体２１０がアンプルホルダ１３０に固定されると、本体２１０とアンプルホルダ１３０との間の液体又は気体の通過を制限する、防ぐ、又は実質的に防ぐように構成される。いくつかの実施形態では、アンプルホルダ１３０は、内面１３４を備える。アンプルホルダ１３０の内面１３４の少なくとも一部は、アンプルがいくつかの実施形態による装置１００内に位置付けられると、本体２１０の側壁部２１２に接するように構成されてよい。いくつかの実施形態では、内面１３４は、アンプルホルダ１３０をアンプル２００にぴったりと固定するように構成される。いくつかの実施形態では、このぴったりとした嵌合は、内面１３４の少なくとも一部とアンプル２００の少なくとも一部（例えば、側壁部２１２）との間の比較的狭いすきまによってもたらされる。いくつかの実施形態では、装置１００は、アンプル２００を係合してアンプルホルダ１３０内にぴったりと保持する、ガスケット、Ｏリング、又は変形可能な弾性要素を備える。図１Ａ〜３に示されるように、いくつかの実施形態では、内面１３４は、本体２１０に接触し、かつ取り囲んで、側壁部２１２とアンプルホルダ１３０との間に封止部をもたらす、エラストマー性Ｏリングなどのガスケット１３２を有する溝部を備える。図４Ａ〜４Ｃに示されるように、いくつかの実施形態では、アンプルホルダ１３０は、アンプル２００を係合して固定するよう構成され、本体２１０が先細となりネック部２３０となっている場所にある、リップ部１４８を備える。
【００２４】
特定の実施形態では、アンプル２００の位置を装置１００に対してアンプル２００の位置を固定するように機能する装置１００の特徴部は、装置１００に対して特定の向きにアンプル２００を保持するように更に構成され、アンプル２００の開封及び／又はアンプル２００開封後のアンプル２００からの物質の放出を容易にする。いくつかの実施形態では、例えば、装置１００は、操作中、装置１００内でヘッド部２２０が本体２１０の下部に位置付けられるように、実質的に上下逆向きにアンプル２００を保持するように構成される。いくつかの実施形態では、ヘッド部２２０より垂直方向に高く本体２１０を位置付けることによって、アンプル２００が開封されると（例えば、ヘッド部２２０を本体２１０から切り離すことによって）、重力による本体２１０からの物質の放出が容易になる。いくつかの実施形態では、アンプルホルダ１３０は、装置１００に対して特定の向きにアンプル２００の本体２１０を保持するように構成される。いくつかの実施形態では、アンプルホルダ１３０は、装置１００の長手方向中心軸Ｌ１に沿って、アンプル２００の本体２１０を保持するように構成され、かつそのための寸法である。いくつかの実施形態では、本体２１０がアンプルホルダ１３０に固定されると、本体２１０を方向付け、側壁部２１２が長手方向中心軸Ｌ１の周りに半径方向に配置されるようにする。好ましい実施形態では、操作中に装置１００を方向付けて、長手方向中心軸Ｌ１が垂直軸と実質的に一直線となるようにしてよい。
【００２５】
いくつかの実施形態では、装置１００は、本体２１０が固定されている状態で、装置１００の１つ以上の別の構成要素に対してアンプルホルダ１３０を動かすことによって作動される。装置１００のいくつかの実施形態では、アンプルホルダ１３０は、ハウジング１１０と嵌合する（例えば、ハウジング内に収容される）。好ましい実施形態では、ハウジング１１０は、アンプル２００、及びアンプル２００の開封後アンプル２００から放出される物質を受け取る囲壁を提供するように構成される。いくつかの実施形態では、ハウジング１１０は、アンプル２００の本体２１０を収容し、少なくとも部分的に囲い込むように構成される。いくつかの実施形態では、ハウジング１１０は、アンプル２００の少なくともヘッド部２２０を収容し、囲い込むように構成される。いくつかの実施形態では、ハウジング１１０は、アンプル２００の少なくともヘッド部２２０及びネック部２３０を収容し、囲い込むように構成される。装置１００のいくつかの実施形態では、ハウジング１１０は、アンプル２００に固定されるアンプルホルダ１３０を収容することによって、アンプル２００を収容するように構成される。更なる実施形態では、ハウジング１１０は、摺動係合でアンプルホルダ１３０を内部に収容するように構成される。いくつかの実施形態では、アンプルホルダ１３０は、ハウジング１１０内に収容されると、ハウジングに対して移動するように構成され、ハウジング１１０とアンプル２００との間での相対移動を可能にする。いくつかの実施形態では、装置１００の操作中、アンプルホルダ１３０を、ハウジング１１０に対して第１の位置から第２の位置へ、ハウジング１１０に向かって移動させる。いくつかの実施形態では、アンプルホルダ１３０は、アンプルホルダ１３０の少なくとも一部がハウジング１１０の外部に延在している（例えば、図１Ａ及び４Ａに示される）第１の位置と、アンプルホルダ１３０が、第１の位置に対して、それ以上に又は完全にハウジング１１０の内部に位置している（例えば、図１Ｃ及び４Ｃに示される）第２の位置との間を、ハウジング１１０に対して移動可能である。いくつかの実施形態では、装置１００の作動には、第１の位置から第２の位置までアンプルホルダ１３０を移動すること、例えば、アンプルホルダ１３０をハウジング１１０内に進めることが含まれる。
【００２６】
装置１００は、好ましくは、ハウジング１１０に対するアンプルホルダ１３０の移動を限定、つまり制限するように構成される。アンプルホルダ１３０の移動を限定することによって、装置１００内でのアンプル２００の予測通りの動きを容易にでき、アンプル２００は全般的に制御された方法で切れて、本明細書に記載されるアンプル２００から物質を放出する。いくつかの実施形態では、装置１００は、アンプルホルダ１３０が、第１の位置と第２の位置との間を長手方向中心軸Ｌ１に沿ってハウジング１１０に対して移動可能であるように構成される。いくつかの実施形態では、装置１００は、アンプルホルダ１３０が、第１及び第２の方向のみを長手方向中心軸Ｌ１に沿ってハウジング１１０に対して移動する（例えば、それぞれ矢印Ｄ１及びＤ２で示される）よう構成されるように、構成される。いくつかの実施形態では、装置１００は、アンプルホルダ１３０が内部に収容されると、アンプルホルダ１３０が、ハウジング１１０に対して（例えば、長手方向中心軸Ｌ１の周りを）回転できないように構成される。
【００２７】
装置１００のいくつかの実施形態では、アンプルホルダ１３０はハウジング１１０の第１末端部に収容され、本明細書に記載されるように、ここはハウジング１１０に対するアンプルホルダ１３０の動きを限定するように構成され得る。いくつかの実施形態では、ハウジング１１０の第１末端部は、アンプルホルダ１３０及びアンプル２００を内部に収容する入口部分１１４として構成される。いくつかの実施形態では、アンプルホルダ１３０は、摺動係合で入口部分１１４内に収容される。いくつかの実施形態では、入口部分１１４は、長手方向中心軸Ｌ１の周りに半径方向に配置され、長手方向中心軸Ｌ１に沿ってアンプルホルダ１３０を収容するように構成される。いくつかの実施形態によると、入口部分１１４は、アンプルホルダ１３０の少なくとも一部の周りに周囲方向に配置するよう構成される管状部分を備える。いくつかの実施形態では、アンプルホルダ１３０及び／又はそこに固定されるアンプル２００の少なくとも一部は、入口部分１１４から延出してよい。好ましくは、装置１００は、アンプルホルダ１３０が入口部分１１４内に収容されると、入口部分１１４とアンプルホルダ１３０との間の液体又は気体の通過を最小限にする、防ぐ、又は実質的に防ぐように更に構成される。例えば、装置１００は、入口部分１１４とアンプルホルダ１３０との間に封止部を備えるように構成され、液体又は気体の漏れを防いでよい。いくつかの実施形態では、アンプルホルダ１３０の外面１３６は、エラストマー性Ｏリングなどのガスケット１４２を有する溝部を備え、液体又は気体の通過を防ぐように構成される外面１３６と入口部分１１４との間の封止部を提供する。
【００２８】
特定の実施形態によると、装置１００は、ユーザーが手動操作するように構成される。いくつかの実施形態では、装置１００の操作中、アンプルホルダ１３０を、ハウジング１１０に対して第１の位置から第２の位置へ、ユーザーが手動で移動させてよい。いくつかの実施形態では、アンプルホルダ１３０は、ユーザーが、例えば、ユーザーの母指５００（例えば、図１Ｂ、１Ｃ、４Ｂ、及び４Ｃに示される）又はユーザーのてのひら及び／若しくは指によって指圧を加えることにより、第１の位置から第２の位置へ、ハウジング１１０内に押し下げられるように構成される。一実施形態では、ユーザーは、いくつかの実施形態において入口部分１１４から延出している、アンプルホルダ１３０及び／又はそこに固定されるアンプル２００の部分を押してよい。本明細書に記載される更なる実施形態では、指圧を除いた後、アンプルホルダ１３０が実質的に第１の位置まで戻ることが望ましい場合もある。特定の実施形態では、装置１００は、アンプルホルダ１３０から圧力が解放されると、アンプルホルダ１３０を実質的に第１の位置まで戻すことを促進するための、アンプルホルダ１３０に対して第２の位置から第１の位置に向かって力を加えるよう構成される付勢要素１４０（例えば、バネ）を更に備えてよい。いくつかの実施形態では、付勢要素１４０は、十分な圧力が加えられてアンプルホルダ１３０を第２の位置に向かって押すまで、アンプルホルダ１３０を第１の位置に実質的に維持するように構成される。装置１００のいくつかの実施形態では、付勢要素１４０は、ハウジング１１０とアンプルホルダ１３０との間に配置される。いくつかの実施形態では、付勢要素１４０は、アンプルホルダ１３０と入口部分１１４との間に配置される。いくつかの実施形態では、付勢要素１４０は、アンプルホルダ１３０の少なくとも一部の周囲に配置される１つ以上のコイルバネを備える。いくつかの実施形態では、付勢要素１４０は、入口部分１１４の内部フランジ１２６と、アンプルホルダ１３０の外面１３６上の外部フランジ１３８との間を延在する。いくつかの実施形態では、付勢要素１４０は、アンプルホルダ１３０が長手方向中心軸Ｌ１に沿って第１の方向Ｄ１に進むと、圧縮された状態になるように構成される。いくつかの実施形態では、付勢要素１４０は、アンプルホルダ１３０に対して長手方向中心軸Ｌ１に沿って第２の方向Ｄ２に力を加えるように構成される。いくつかの実施形態では、付勢要素１４０は、ユーザーの指圧が除かれると、アンプルホルダ１３０を実質的に第１の位置まで戻すように構成される。
【００２９】
装置１００は、好ましくは、手持ち式装置であるように構成され、かつそのための寸法であり、いくつかの実施形態に従ってユーザーによる手動操作を容易にするように構成される特徴部を備える。更に好ましい実施形態では、装置１００は、片手のみを用いて動作可能であるように構成される。いくつかの実施形態では、例えば、ハウジング１１０の入口部分１１４は、ユーザーの手の指及びてのひらで掴めるハンドルとして構成され、その寸法である。したがって、入口部分１１４は、指用溝部の質感が付けられ、つまり指用溝部が備えられ、いくつかの実施形態に従うユーザーによる把持を容易にしてよい。ユーザーの母指５００は、例えば、図１Ｂ、１Ｃ、４Ｂ及び４Ｃに示されるように、ハウジング１１０内にアンプルホルダ１３０を押しこむことによって、装置１００を作動させるため、自由な状態に維持できる。図２を参照すると、いくつかの実施形態では、装置１００は、入口部分１１４の外面上に１つ以上のつまみ１４４を備えてよい。アンプルホルダ１３０がベース２１４を囲い込まない、いくつかの実施形態では、装置１００は、アンプルホルダ１３０の末端部に固定可能な末端キャップ部１４６を更に備え、アンプル２００のベース２１４を囲い込み、例えば、ユーザーとアンプル２００との間の直接的接触を防ぎ、アンプル２００の事故による破損からユーザーを保護してよい。いくつかの実施形態では、末端キャップ部１４６は、スナップ嵌め又は締まり嵌めによってアンプルホルダ１３０に固定可能である。いくつかの実施形態では、つまみ１４４及び／又は末端キャップ部１４６は、人間工学的に改善され、ユーザーによって、例えば、装置１００の操作中に、アンプルホルダ１３０のハウジング１１０内への第１の位置から第２の位置までの押し下げを容易にするために、アンプルホルダ１３０上により大きい力を加えることを可能にしてよい。
【００３０】
本明細書に記載されるように、装置１００の作動及び操作は、アンプル２００に固定されるアンプルホルダ１３０を、第１の位置から第２の位置まで進めることを含む。いくつかの実施形態では、装置１００の操作は、アンプルホルダ１３０を、長手方向中心軸Ｌ１に沿って第１の位置から第２の位置まで進めることを含む。いくつかの実施形態では、装置１００の操作は、例えば図１Ｂ、１Ｃ、４Ｂ、及び４Ｃに示されるように、ハウジング１１０内へアンプルホルダ１３０を進めることを含む。いくつかの実施形態における装置１００の操作中、装置１００は、アンプル２００に固定されるアンプルホルダ１３０が第１の位置から第２の位置まで進むと、本体２１０からヘッド部２２０を切り離すのに十分な力をアンプル２００に加えることによって、アンプル２００を開封するように構成される。いくつかの実施形態では、装置１００は、操作中に、本体２１０からヘッド部２２０を切り離すのに十分な力をヘッド部２２０及び／又はネック部２３０に加えるように構成される。いくつかの実施形態では、装置１００は、長手方向中心軸Ｌ１に対して横方向及び／又は斜め方向に力をヘッド部２２０及び／又はネック部２３０に加えるように構成される。
【００３１】
いくつかの実施形態では、装置１００は、本体２１０からヘッド部２２０を切り離すのに十分な力をヘッド部２２０及び／又はネック部２３０に加えるように構成される構成要素を備える。いくつかの実施形態では、ヘッド部２２０及び／又はネック部２３０に力を加えるように構成される構成要素は、本体２１０からヘッド部２２０を切り離す前、最中、及び後に、ヘッド部２２０を確実に保持するように更に構成される。本体２１０からヘッド部２２０を切り離した後にヘッド部２２０を保持することは、例えば、アンプル２００の切断後にヘッド部２２０内に含まれたままで残る物資の除去を容易にするため、ヘッド部２２０の更なる操作を可能にできることから、いくつかの実施形態において有利である場合がある。更なる実施形態では、装置１００は、例えば、ヘッド部２２０に含まれ得る物質の放出を容易にするため、分離されたヘッド部２２０を旋回又は回転させるように構成される。再度図１Ａ〜４Ｃを参照すると、本発明の特定の実施形態による装置１００は、アンプル２００のヘッド部２２０を保持するよう構成され、かつそのための寸法であるヘッド部ホルダ１５０を備える。いくつかの実施形態では、ヘッド部ホルダ１５０は、ハウジング１１０内に配置される。いくつかの実施形態では、ヘッド部ホルダ１５０は、ハウジング１１０内で移動可能である。いくつかの実施形態では、ヘッド部ホルダ１５０は、ハウジング１１０と旋回可能に係合される。特定の好ましい実施形態では、ヘッド部２２０は、アンプル２００を切る前の初期位置において、ヘッド部ホルダ１５０に固定される。いくつかの実施形態では、ヘッド部２２０及びヘッド部ホルダ１５０の両方が、長手方向中心軸Ｌ１上の初期位置に配置される（図１Ａ及び４Ａ）。いくつかの実施形態では、ヘッド部ホルダ１５０は、ヘッド部２２０にしっかりと固定されるように構成され、ヘッド部２２０がヘッド部ホルダ１５０に固定されると、ヘッド部２２０がヘッド部ホルダ１５０に対して動けないようにする。いくつかの実施形態では、ヘッド部ホルダ１５０は、ヘッド部２２０を少なくとも部分的に取り囲むように構成される。図１Ａ〜２を参照すると、いくつかの実施形態では、ヘッド部ホルダ１５０は、ヘッド部２２０の少なくとも一部を収容するように構成される陥凹部１５２を備える。いくつかの実施形態では、陥凹部１５２は、先端部２２２を収容するように構成される。いくつかの実施形態では、ヘッド部ホルダ１５０は、ヘッド部２２０の側部に沿って延在する部分１５４を更に備え、ネック部２３０又はその付近でアンプル２００と係合するリップ部１５６を備える。いくつかの実施形態では、例えば、図４Ａ〜４Ｃに示されるように、部分１５４は、ヘッド部２２０の少なくとも一部の周りを周囲方向に延在する。いくつかの実施形態では、ヘッド部ホルダ１５０は、全て硬質プラスチックなどの剛性材料から作られる。別の実施形態によるヘッド部ホルダ１５０は、２種類以上の材料から構成されてよい。いくつかの実施形態では、例えば、ヘッド部２２０に接触するヘッド部ホルダ１５０の部分は、ヘッド部２２０の周囲に、密接な、つまりぴったりとした嵌合を形成するように構成される可撓性及び／又はエラストマー材料で作られてよく、一方ヘッド部ホルダ１５０の残りの部分は、硬質プラスチックなどの剛性材料から形成されてよい。
【００３２】
装置１００は、好ましくは、アンプル２００を開封するために、装置１００の操作中、ヘッド部２２０に固定された状態のヘッド部ホルダ１５０が、本体２１０からヘッド部２２０を切り離すのに十分な力をアンプル２００に加えるように構成される。好ましくは、装置１００は、ハウジング１１０に囲い込まれた状態で本体２１０からヘッド部２２０を切り離し、物質及び／又はアンプル２００の破損片が漏れ出るのを防ぐように構成される。いくつかの実施形態では、装置１００は、ヘッド部ホルダがヘッド部２２０に固定され、ヘッド部ホルダ１５０によって本体２１０からヘッド部２２０を切り取る間に、ヘッド部ホルダ１５０を、アンプル２００に対して横方向及び／又は斜め方向に方向付けるように構成される。更なる実施形態では、装置１００は、本明細書に記載されるように、アンプルホルダ１３０が第１の位置から第２の位置まで進むとき、ヘッド部ホルダ１５０を、横方向及び／又は斜め方向に方向付けるように構成される。いくつかの実施形態では、装置１００は、初期位置（例えば、アンプル２００の開封前）から第２の位置まで、ヘッド部ホルダ１５０を方向付けるように構成されるガイド部１９０を備える。いくつかの実施形態では、ガイド部１９０は、初期位置から第２の位置までのヘッド部ホルダ１５０用の経路を画定し、この経路の少なくとも一部は、長手方向中心軸Ｌ１に対して横方向及び／又は斜め方向に延在する。いくつかの実施形態では、長手方向中心軸Ｌ１が垂直軸と実質的に一直線であるとき、第２の位置は初期位置より下方にある。装置１００のいくつかの実施形態では、ヘッド部ホルダ１５０は、本明細書に記載されるように、アンプルホルダ１３０がハウジング１１０に対して第１の位置から第２の位置まで進むとき、例えば、アンプルホルダ１３０がハウジング１１０に対して長手方向中心軸Ｌ１に沿って進むとき、長手方向中心軸Ｌ１上の初期位置から、長手方向中心軸Ｌ１から横方向及び／又は斜め方向にオフセットされた第２の位置まで、ヘッド部ホルダ１５０を方向付けるように構成されるガイド部１９０と係合する。いくつかの実施形態では、ヘッド部ホルダ１５０が、ガイド部１９０によって初期位置から第２の位置まで横方向及び／又は斜め方向に方向付けられると、ヘッド部ホルダ１５０の横方向及び／又は斜め方向の移動によって、本体２１０に固定されたヘッド部２２０を本体から切り離すのに十分な力が加えられ、これによってアンプル２００が開封される。
【００３３】
図１Ａ〜１Ｃ及び４Ａ〜４Ｃに示されるように、本発明の一実施形態によるガイド部１９０は、溝部１７０を備える。いくつかの実施形態では、溝部１７０の少なくとも一部は、長手方向中心軸Ｌ１に対して横方向に延在するように構成される。いくつかの実施形態では、溝部１７０の少なくとも一部は、長手方向中心軸Ｌ１に対して実質的に斜め方向に延在するように構成される。いくつかの実施形態では、溝部１７０は、ハウジング１１０内に配置される。いくつかの実施形態では、溝部１７０は、ハウジング１１０の内壁内に形成される。いくつかの実施形態では、ヘッド部ホルダ１５０は、溝部１７０に係合され、溝部１７０に沿って初期位置から第２の位置まで並進するように構成される。いくつかの実施形態による、ヘッド部ホルダ１５０は、溝部１７０内に保持され、溝部に沿って移動可能なガイドピン１６０を備える。いくつかの実施形態では、ヘッド部ホルダ１５０は、装置１００の操作中、本明細書に記載されるようにアンプルホルダ１３０が第１の位置から第２の位置まで進むとき、溝部１７０に沿って初期位置から第２の位置まで並進するように構成される。例えば、図１Ｂ、１Ｃ、４Ｂ及び４Ｃについて、いくつかの実施形態では、アンプルホルダ１３０が長手方向中心軸Ｌ１に沿って第１の方向Ｄ１に進む（例えば、母指５００によって押されることによって）につれて、溝部１７０は、ガイドピン１６０及びヘッド部ホルダ１５０を長手方向中心軸Ｌ１から離れて斜め方向に方向付け、これによって、ネック部２３０付近の本体２１０からヘッド部２２０を切り離し、本明細書に記載されるように、アンプル２００に収容される物質の取り出しを可能にする。
【００３４】
図３は、本発明の別の実施形態によるガイド部１９０を示す。本実施形態によると、ガイド部１９０は、長手方向中心軸Ｌ１に対して斜め方向に角度が付いた剛性平面１８０を、別の方法として又は追加的に備える。いくつかの実施形態では、剛性平面１８０は、ハウジング１１０内に配置される。いくつかの実施形態では、剛性平面１８０は、ハウジング１１０の内壁に固定され、又は内壁から形成される。いくつかの実施形態では、剛性平面１８０は、ヘッド部ホルダ１５０に係合される。いくつかの実施形態では、剛性平面１８０は、ヘッド部２２０及び／又はヘッド部ホルダ１５０に当接するように構成される。いくつかの実施形態では、ヘッド部ホルダ１５０は、装置１００の操作中、本明細書に記載されるようにアンプルホルダ１３０が第１の位置から第２の位置まで進むとき、剛性平面１８０に沿って初期位置から第２の位置まで並進するように構成される。例えば、いくつかの実施形態では、アンプルホルダ１３０が長手方向中心軸Ｌ１に沿って第１の方向Ｄ１に進むにつれて、ヘッド部２２０及び／又はヘッド部ホルダ１５０は、剛性平面１８０に向き、剛性平面によって斜め方向に方向付けられ、これによって、本体２１０からヘッド部２２０を切り離し、本明細書に記載されるように、アンプル２００に収容される物質の取り出しを可能にする。
【００３５】
いくつかの実施形態では、装置１００は、ヘッド部２２０が本体２１０から切り離された後、ヘッド部２２０を操作するように更に構成される。いくつかの実施形態では、装置１００は、アンプル２００の切断後、ヘッド部２２０に含まれる物質（例えば、液体物質）を除去し、アンプル２００に含まれる全て又は実質的に全ての物質を確実に回収するように構成される。アンプル２００に含まれる全て又は実質的に全ての物質を回収することは、実質的に正確な量を要する用途（例えば、医薬品の投与又は骨セメントの調製）で物質が使用される場合に、特に重要であり得る。いくつかの実施形態では、装置１００は、ヘッド部２２０を本体２１０から分離した後、ヘッド部２２０を回転又は旋回させ、例えば、ヘッド部２２０に含まれる物質の除去を容易にするように構成される。いくつかの実施形態では、装置１００は、ヘッド部２２０を回転又は旋回させ、本体２１０から分離された後に形成されるヘッド部２２０の開放端部を下向きにし、重力によって物質をヘッド部２２０から取り出せるように構成される。いくつかの実施形態では、ヘッド部２２０の回転又は旋回により、遠心力によっても、物質のヘッド部２２０からの除去を容易にできる。ここで図１Ｃ、４Ｂ及び４Ｃを参照すると、ヘッド部２２０が本体２１０から分離された後、本発明の特定の好ましい実施形態によると、ヘッド部２２０はヘッド部ホルダ１５０に固定されて留まる。いくつかの実施形態では、ヘッド部２２０が本体２１０から切り離された後、ヘッド部ホルダ１５０が溝部１７０に沿って第２の位置に方向付けられるとき、ヘッド部ホルダ１５０はガイドピン１６０の周りを回転可能である。いくつかの実施形態では、ヘッド部ホルダ１５０は、重力によってガイドピン１６０の周りを回転可能である。いくつかの実施形態では、ヘッド部ホルダ１５０は、例えば、長手方向中心軸Ｌ１と交差しなくても、及び／又は、実質的に長手方向中心軸Ｌ１に直交する向きであってもよい、ガイドピン１６０の軸の周りを回転可能である。いくつかの実施形態では、図１Ａ〜３に示されるように、装置１００は、ヘッド部２２０が本体２１０から切り離された後、ヘッド部ホルダ１５０をガイドピン１６０の周りで回転させるための力を、ヘッド部ホルダ１５０に加えるように構成される、バネ１７２を備えてよい。いくつかの実施形態では、バネ１７２は、ヘッド部ホルダ１５０の部分１５４に力を加えるように構成される。いくつかの実施形態では、バネ１７２は、アンプルホルダ１３０上に配置されてよい。いくつかの実施形態では、ガイドピン１６０の周りでヘッド部ホルダ１５０が回転することによって、アンプル２００の切断後、ヘッド部２２０内に残っている物質の取り出しを容易にする。いくつかの実施形態では、ヘッド部ホルダ１５０は、例えば、図４Ｂに示されるように、ヘッド部２２０が本体２１０から切り離された後、ガイドピン１６０の周りを少なくとも９０度回転するように構成される。別の実施形態では、ヘッド部ホルダ１５０は、ガイドピン１６０の周りを９０度未満回転するように構成される。いくつかの実施形態では、ヘッド部ホルダ１５０は、ガイドピン１６０の周りを９０度を超えて、例えば、９０〜１８０度回転するように構成される。いくつかの実施形態では、ヘッド部ホルダ１５０は、少なくとも１８０度、又は１８０度を超えて回転するように構成される。いくつかの実施形態では、ヘッド部ホルダ１５０は、ガイドピン１６０の周りを１８０度未満回転するように構成される。いくつかの実施形態では、ヘッド部ホルダ１５０は、図１Ｃに示されるように、ハウジング１１０の内壁に当接し、ヘッド部ホルダ１５０の回転を限定するよう構成される角度付き面１５８を備える。いくつかの実施形態では、図４Ａ〜４Ｃに示されるように、ハウジング１１０は、ヘッド部ホルダ１５０に当接するように構成され、ガイドピン１６０の周りのヘッド部ホルダ１５０の回転を限定するように角度付けられる、当接面１６２を備える。いくつかの実施形態では、当接面１６２は、ハウジング１１０の壁部１２４から形成され、長手方向中心軸Ｌ１に対して斜め方向に角度付けられる。いくつかの実施形態では、図４Ｃに示されるように、当接面１６２は、ヘッド部ホルダ１５０が当接面１６２に当接すると、ハウジング１１０の出口１１６に向かってヘッド部２２０が角度付けられるように、ヘッド部ホルダ１５０を方向付けるように構成される。
【００３６】
装置１００は、好ましくは、アンプル２００の開封後、アンプル２００から放出される物質へのユーザーの曝露を最小限にする、防ぐ、又は実質的に防ぐように構成され、これは、骨セメント又は接着剤成分などの特定の揮発性化学物質の場合のように、物質が有毒又は有害である場合に特に有用であり得る。また、装置１００は、好ましくは、ヘッド部２２０が切断されると生じるあらゆる鋭利な破片（例えば、砕片又はかけら）に対して、ユーザーの曝露を防ぐためにも構成される。いくつかの実施形態では、装置１００のハウジング１１０は、アンプル２００の開封後、アンプル２００から放出される物質を受け取り、封じ込めるように構成される囲壁を提供する。いくつかの実施形態では、ハウジング１１０は、アンプル２００からその内部に受け取った物質へのユーザーの曝露を最小限にする、防ぐ、又は実質的に防ぐように、更に構成される。また、ハウジング１１０が、アンプル２００が切断され開封されると生じる、アンプル２００のあらゆる破片（例えば、砕片又はかけら）を封じ込めるように構成されることも好ましい。いくつかの実施形態では、ハウジング１１０は、アンプル２００を開封すると形成される、アンプル２００のあらゆる鋭利な縁部（例えば、割れた縁部）を囲い込み、これらにユーザーを曝露することを防ぐように構成される。いくつかの実施形態では、ハウジング１１０は、アンプル２００から放出される物質を受け取るように構成される内部空間１１２を画定する内壁を備える。いくつかの実施形態では、内部空間１１２は、アンプル２００の容量と同量又はそれ以上の容量を有する。いくつかの実施形態では、ハウジング１１０は、実質的に剛性材料から作られる。いくつかの好ましい実施形態では、ハウジング１１０は、ユーザーによる内部空間１１２の目視検査が可能な透明な材料で少なくとも部分的に作られる。いくつかの実施形態では、ハウジング１１０は、実質的に剛性の透明プラスチック材料で構成される。別の実施形態では、ハウジング１１０はガラス製である。
【００３７】
本明細書に記載されるように、装置１００は、好ましくは、アンプル２００が開封されると、ハウジング１１０によってアンプル２００が囲い込まれ、ハウジング１１０があらゆるアンプル破片（例えば、砕片又はかけら）を封じ込め、アンプル２００からの物質を受け取れるように構成される。いくつかの実施形態では、ヘッド部２２０は、ヘッド部２２０が本体２１０から分離されると、内部空間１１２内に位置付けられる。いくつかの実施形態では、アンプル２００の開封後、本体２１０及び／又はヘッド部２２０内の物質は、重力によって内部空間１１２内に入る。いくつかの実施形態では、本明細書に記載されるように、ヘッド部ホルダ１５０を回転又は旋回させることによってヘッド部２２０から取り出された物質は、内部空間１１２に受け取られる。いくつかの実施形態では、ヘッド部２２０が本体２１０から切り離された後、物質は、少なくとも一時的に内部空間１１２内に減圧をもたらすことによって、本体２１０及び／又はヘッド部２２０から取り出される。いくつかの実施形態では、内部空間１１２内の減圧は、内部空間１１２を真空源に曝露することによってもたらされる。別の実施形態では、アンプルホルダ１３０を実質的に初期位置（例えば、付勢要素１４０によって）に戻すと、液体物質を本体２１０及び／又はヘッド部２２０から取り出すのに十分な圧力低下が、内部空間１１２にもたらされる。
【００３８】
再度図１Ａ〜４Ｃを参照すると、いくつかの実施形態では、ハウジング１１０は、アンプル２００から（例えば、分離されたヘッド部２２０及び本体２１０から）内部空間１１２に放出された物質を回収するための、ベース部分１２０を備える。いくつかの実施形態では、ベース部分１２０は、入口部分１１４と一体成形される。別の実施形態では、ベース部分１２０及び入口部分１１４は別々に成形されて結合される。いくつかの実施形態では、ハウジング１１０は、入口部分１１４とベース部分１２０との間に配置される１つ以上の封止部１２８を備え、入口部分１１４とベース部分１２０との間の物質及び／又はフュームの通過を実質的に防ぐ。いくつかの実施形態では、ベース部分１２０は、内部空間１１２の周りに配置される壁部１２４を備える。いくつかの実施形態では、少なくとも一部の壁部１２４は透明であり、ユーザーによる内部空間１１２の目視検査、例えば、内部に含有される物質量の目視判定を可能にする。いくつかの実施形態では、壁部１２４は、長手方向中心軸Ｌ１と実質的に平行であり、例えば、図１Ａ〜２に示すように対称的に構成され得る部分を備える。別の実施形態では、図４Ａ〜４Ｃに示すように、ベース部分１２０は非対称的な構成を有してよい。
【００３９】
特定の実施形態によると、装置１００は、アンプル２００から放出された物質を、第２の装置、例えば第２の装置３００に移すように構成される。第２の装置３００は、アンプル２００に含まれる物質を受け取るのに好適な任意の構成を有してよい。いくつかの実施形態では、装置１００は、第２の装置３００に取り付けるための連結具を備え、装置への物質の移動を容易にする。いくつかの実施形態では、第２の装置３００は、装置１００を操作してアンプル２００を開封する前に、装置１００に取り付けられる。いくつかの実施形態では、第２の装置３００は、混合チャンバ又は混合システムである。いくつかの実施形態では、第２の装置は、バイアル、ボトル、又はその他容器である。いくつかの実施形態では、第２の装置３００は注射器の外筒である。いくつかの実施形態では、第２の装置３００は、アンプル２００に含まれる物質と組み合わせるように構成される第２の物質を収容する。例えば、一実施形態では、アンプル２００中の物質は、二成分型外科用骨セメントシステム（例えば、液体モノマー）の第１の構成成分であり、第２の装置３００は、第１成分と反応して外科用骨セメントを形成する第２の骨セメント成分を収容する。別の例では、アンプル２００中の物質及び第２の装置３００に含有される第２の物質は、多成分型接着剤システムの構成成分である。
【００４０】
第２の装置３００への物質の移動を容易にするため、装置１００のいくつかの実施形態では、ベース部分１２０は、内部空間１１２と流体連通する出口１１６を備える。出口１１６は、好ましくは、アンプル２００から受け取る物質の出口を提供するように構成される。いくつかの実施形態では、出口１１６は、アンプル２００からの物質を装置１００から放出できる出口にすぎない。いくつかの実施形態による出口１１６は、第２の装置３００への物質の移動を可能にするための取り付け用に構成される。例えば、いくつかの実施形態では、出口１１６は、第２の装置３００と連結するための連結具、例えばルアーテーパー又はその他取り付け具を備える。好ましくは、出口１１６は、第２の装置３００と液密及び／又は気密封止部を形成するように構成される連結具を備える。いくつかの実施形態では、出口１１６は、ハウジング１１０の第２末端部に隣接して位置付けられる。いくつかの実施形態では、出口１１６は、ハウジング１１０の入口部分１１４と反対側に位置付けられる。いくつかの実施形態では、出口１１６は、長手方向中心軸Ｌ１の周りに半径方向に配置される。いくつかの実施形態では、ベース部分１２０は、物質を出口１１６に向けて方向付ける、導く、又は流しこむように構成され得る、底部内面１２２を更に備える。例えば、底部内面１２２は、長手方向中心軸Ｌ１に対して斜め方向に角度付けられ、物質を出口１１６に向けて方向付けてよい。いくつかの実施形態では、装置１００は、内部空間１１２と出口１１６との間に配置されるフィルタ１１８を更に備える。いくつかの実施形態では、フィルタ１１８は、割れたアンプル２００のかけら又は砕片が内部空間１１２から出口１１６まで通過することを防ぎながら、内部空間１１２から出口１１６まで物質の通過を可能にする孔径を有するように選択される。
【００４１】
いくつかの実施形態による、装置１００から第２の装置３００への物質の移動は、第２の装置３００内の圧力に対して、内部空間１１２内の圧力を少なくとも一時的に高めることによって促進できる。いくつかの実施形態では、アンプルホルダ１３０の第１の位置と第２の位置との間を切り替えるように、アンプルホルダ１３０を素早く押して放すことを数回行うことによって、装置１００から第２の装置３００への物質移動を促進するポンプ作用を達成できる。いくつかの実施形態では、第２の装置３００は、装置１００からの物質の移動が完了すれば、出口１１６から外してよい。物質の移動は、例えば、ハウジング１１０が透明な材料から構成される場合、ユーザーによる目視検査によって確認できる。いくつかの実施形態では、装置１００は、使い捨て装置として意図され、当該技術分野において既知の手順に従って後で廃棄できる。いくつかの実施形態では、割れたアンプル２００は、装置１００内に安全に収容されたままで残り、装置と共に廃棄できる。
【００４２】
様々な変更、代用、及び修正が、添付の「特許請求の範囲」で定義する本発明の趣旨及び範囲から逸脱することなくなされ得ることを理解されたい。特定の実施形態に属する本明細書において特定される個々の要素が、本発明の他の実施形態に含まれてもよいことも同様に理解されたい。更に、本願の範囲は、本明細書に記載したプロセス、機械、製造法、物質組成、手段、方法、及び工程の特定の実施形態に限定されることを意図するものではない。当業者は上の本開示から容易に理解することが推察されるように、本明細書において説明される対応する実施形態と実質的に同じ機能を実施するか、又は実質的に同じ結果を達成する、現在存在するか、又は後に開発される、プロセス、機械、製造法、物質組成、手段、方法、又は工程が、本発明に従って利用され得る。
【００４３】
〔実施の態様〕
（１）  ある量の液体を収容するアンプルの開封装置であって、該アンプルが、本体と、ヘッド部と、を備え、該装置が、
長手方向中心軸に沿って前記アンプルの前記本体を保持するように構成され、かつそのための寸法である、アンプルホルダと、
前記アンプルの前記ヘッド部を保持するように構成され、かつそのための寸法である、ヘッド部ホルダと、
前記ヘッド部ホルダに係合し、前記アンプルホルダが第１の位置から前記長手方向中心軸に沿って第１の方向に進むとき、前記長手方向中心軸上の初期位置から、前記長手方向中心軸からオフセットされた第２の位置まで、前記ヘッド部ホルダを方向付けるよう構成される、ガイド部と、を備える、装置。
（２）  前記ヘッド部ホルダ及び前記ガイド部を収容するための内部空間を画定するハウジングを更に備え、該ハウジングが、前記アンプルホルダと摺動係合している第１末端部と、前記内部空間と流体連通している出口に隣接する第２末端部と、を備える、実施態様１に記載の装置。
（３）  前記アンプルホルダと前記ハウジングとの間に配置される付勢要素を更に備え、該付勢要素が、前記アンプルホルダに対して前記第１の方向と反対側の第２の方向に力を加えるように構成される、実施態様２に記載の装置。
（４）  前記付勢要素が、前記アンプルホルダを実質的に前記第１の位置まで戻すように構成される、実施態様３に記載の装置。
（５）  前記アンプルホルダと前記ハウジングとの間に配置される封止部を更に備え、該封止部が、前記アンプルホルダと前記ハウジングとの間の気体又は液体の通過を実質的に防ぐように構成される、実施態様２に記載の装置。
【００４４】
（６）  前記内部空間と前記出口との間に配置されるフィルタを更に備え、該フィルタが、前記内部空間から前記出口までの液体の通過を可能にし、かつ前記内部空間から前記出口までのアンプル破片の通過を防ぐのに十分な孔径を有する、実施態様２に記載の装置。
（７）  前記装置が、前記アンプルホルダを前記長手方向中心軸に沿って前記第１の方向に進めると、前記内部空間内に圧力上昇をもたらすように構成される、実施態様２に記載の装置。
（８）  前記アンプルホルダを実質的に前記初期位置まで戻すと、前記内部空間内の圧力低下がもたらされる、実施態様４に記載の装置。
（９）  前記圧力低下が、前記アンプルから前記内部空間まで液体を引き込むのに十分なものである、実施態様８に記載の装置。
（１０）  前記ハウジングが、前記出口において、第２の装置に連結するための連結装置を備える、実施態様２に記載の装置。
【００４５】
（１１）  前記ガイド部が、前記初期位置から前記第２の位置までの前記ヘッド部ホルダ用の経路を画定し、該経路の少なくとも一部が、前記長手方向中心軸から横方向及び／又は斜め方向に延在する、実施態様１に記載の装置。
（１２）  前記装置が、前記ガイド部によって前記初期位置から前記第２の位置まで前記ヘッド部ホルダを方向付けると、前記アンプルの前記本体から前記アンプルの前記ヘッド部を切り離すように構成される、実施態様１に記載の装置。
（１３）  前記ヘッド部ホルダが旋回軸を備え、前記ヘッド部ホルダが、前記ガイド部によって前記初期位置から前記第２の位置まで前記ヘッド部ホルダを方向付けると、前記旋回軸の周りを回転するように構成される、実施態様１に記載の装置。
（１４）  前記ヘッド部ホルダが、前記旋回軸の周りを９０度を超えて回転するように構成される、実施態様１３に記載の装置。
（１５）  前記旋回軸の周りの前記ヘッド部ホルダの回転が、１８０度未満に制限される、実施態様１３に記載の装置。
【００４６】
（１６）  前記ヘッド部ホルダが、重力によって前記旋回軸の周りを回転可能である、実施態様１３に記載の装置。
（１７）  前記ガイド部が溝部を備え、前記ヘッド部ホルダが該溝部内に保持されるガイドピンを備え、前記溝部が、前記初期位置から前記第２の位置までの前記ガイドピン用の経路を画定する、実施態様１に記載の装置。
（１８）  前記溝部の少なくとも一部が、前記長手方向中心軸に対して横方向及び／又は斜め方向に延在する、実施態様１７に記載の装置。
（１９）  前記ガイド部によって前記初期位置から前記第２の位置まで前記ヘッド部ホルダを方向付けると、前記ヘッド部ホルダが前記ガイドピンの周りを回転する、実施態様１７に記載の装置。
（２０）  前記ハウジングの前記第１末端部が、ハンドルを備える、実施態様２に記載の装置。
【００４７】
（２１）  前記アンプルホルダが、母指圧によって前記第１の方向に前進可能である、実施態様１に記載の装置。
（２２）  前記装置が、ユーザーによる片手での手動操作用に構成され、かつそのための寸法である、実施態様１に記載の装置。
（２３）  前記ハウジングの少なくとも一部が透明である、実施態様２に記載の装置。
（２４）  前記アンプルホルダに固定される本体と、前記ヘッド部ホルダに固定されるヘッド部と、を備える、アンプルを更に含む、実施態様１に記載の装置。
（２５）  前記アンプルが液体骨セメント成分を収容する、実施態様２４に記載の装置。
【００４８】
（２６）  前記ガイド部が、前記長手方向中心軸に対して斜角で配置される剛性平面を備える、実施態様１に記載の装置。
（２７）  前記ヘッド部ホルダが、前記アンプルホルダが前記第１の位置から前記長手方向中心軸に沿って前記第１の方向に進むと、前記剛性平面に当接し、前記剛性平面に沿って並進するように構成される、実施態様２６に記載の装置。
（２８）  アンプル切断用に手動操作される装置であって、
液体を収容するアンプルであって、長手方向中心軸の周りに配置される本体と、ヘッド部と、を備える、アンプルと、
内部空間の周りに配置される壁部を有するハウジングと、
該ハウジングと摺動係合し、前記アンプルの前記本体に固定されるアンプルホルダであって、前記ハウジングに対して移動可能である、アンプルホルダと、
前記ハウジングに旋回可能に固定され、前記内部空間内で前記アンプルの前記ヘッド部に固定されるヘッド部ホルダであって、前記長手方向中心軸上の初期位置から、前記長手方向中心軸からオフセットされた第２の位置まで移動し、前記アンプルの前記ヘッド部を前記アンプルの前記本体から切り離すように構成される、ヘッド部ホルダと、
該ヘッド部ホルダに係合し、前記アンプルホルダが指圧によって第１の位置から前記長手方向中心軸に沿って進むとき、前記初期位置から前記第２の位置まで前記ヘッド部ホルダを方向付けるように構成される、ガイド部と、を備える、装置。
（２９）  前記アンプルホルダと前記ハウジングとの間に配置される付勢要素を更に備え、該付勢要素が、前記指圧を除くと前記アンプルホルダを前記第１の位置に向かって付勢するように構成される、実施態様２８に記載の装置。
（３０）  前記ガイド部が溝部を備え、前記ヘッド部ホルダが該溝部内に保持されるガイドピンを備え、前記溝部が、前記初期位置から前記第２の位置までの前記ガイドピン用の経路を画定する、実施態様２８に記載の装置。
【００４９】
（３１）  前記溝部の少なくとも一部が、前記長手方向中心軸に対して横方向及び／又は斜め方向に延在する、実施態様３０に記載の装置。
（３２）  前記ヘッド部ホルダが、前記ガイド部によって前記初期位置から前記第２の位置まで前記ヘッド部ホルダを方向付けると、前記ガイドピンの周りを少なくとも９０度回転するように構成される、実施態様３０に記載の装置。
（３３）  前記ガイド部が、前記長手方向中心軸に対して斜角で配置される剛性平面を備える、実施態様２８に記載の装置。
（３４）  前記ヘッド部ホルダが、前記アンプルホルダが前記第１の位置から前記長手方向中心軸に沿って前記第１の方向に進むと、前記剛性平面に当接し、前記剛性平面に沿って並進するように構成される、実施態様３３に記載の装置。
（３５）  本体と、ヘッド部と、を有し、ある量の液体を収容する、アンプルの開封方法であって、
前記アンプルを長手方向中心軸に沿って第１の方向に動かすことであって、前記アンプルの前記本体が前記長手方向中心軸の周りに配置されている、ことと、
前記アンプルが前記第１の方向に動かされた際に、前記アンプルの前記ヘッド部を前記長手方向中心軸から離れて横方向及び／又は斜め方向に方向付けて、前記アンプルの前記ヘッド部を前記アンプルの前記本体から切り離すことと、
前記アンプルの前記本体から液体を取り出すことと、
前記アンプルの前記ヘッド部から液体を取り出すことと、を含む、方法。
【００５０】
（３６）  前記アンプルの前記ヘッド部が、ハウジングの前記内部空間に配置され、前記ハウジングと旋回可能に係合するヘッド部ホルダに固定され、前記アンプルの前記本体が、前記ハウジングに対して前記長手方向中心軸に沿って摺動するように構成されるアンプルホルダに固定される、実施態様３５に記載の方法。
（３７）  前記長手方向中心軸に沿って前記第１の方向に前記アンプルを動かすことが、第１の位置から第２の位置まで、前記ハウジングに対して前記第１の方向に前記アンプルホルダを摺動させることを含む、実施態様３６に記載の方法。
（３８）  前記ヘッド部ホルダが、ガイド部と係合され、該ガイド部が、前記アンプルホルダが前記ハウジングに対して前記第１の方向に摺動するとき、前記長手方向中心軸から離れて横方向及び／又は斜め方向に前記ヘッド部ホルダを方向付ける、実施態様３７に記載の方法。
（３９）  前記ハウジングに対して前記第１の方向と反対側の第２の方向に前記アンプルホルダを摺動させることによって、前記アンプルホルダを実質的に前記第１の位置まで戻すことを更に含む、実施態様３７に記載の方法。
（４０）  前記アンプルホルダが、前記アンプルホルダと前記ハウジングとの間に配置される付勢要素によって、実質的に前記第１の位置まで戻される、実施態様３９に記載の方法。
【００５１】
（４１）  前記アンプルホルダが実質的に前記第１の位置まで戻るとき、前記ハウジングの前記内部空間の圧力を下げることを更に含む、実施態様３９に記載の方法。
（４２）  前記アンプルの前記本体から液体を取り出すことが、前記内部空間の前記圧力を下げることを含む、実施態様４１に記載の方法。
（４３）  前記アンプルの前記ヘッド部から液体を取り出すことが、前記アンプルの前記ヘッド部を前記アンプルの前記本体から切り離した後、前記ヘッド部ホルダを９０度を超えて旋回させることを含む、実施態様３６に記載の方法。
（４４）  前記アンプルの前記本体から液体を取り出すことが、前記アンプルの前記本体から前記ハウジングの前記内部空間に液体を方向付けることを含み、前記アンプルの前記ヘッド部から液体を取り出すことが、前記アンプルの前記ヘッド部から前記ハウジングの前記内部空間に液体を方向付けることを含む、実施態様３６に記載の方法。
（４５）  容器を前記ハウジングに連結することと、前記ハウジングの前記内部空間から前記容器に前記液体を移すことと、を更に含む、実施態様４４に記載の方法。
【００５２】
（４６）  前記容器に前記液体を移すことの前に、前記液体を濾過することを更に含む、実施態様４５に記載の方法。
（４７）  前記ハウジングの前記内部空間内の圧力を上昇させ、前記内部空間から前記容器への前記液体の移動を促進することを更に含む、実施態様４５に記載の方法。
（４８）  前記液体が、第１の骨セメント成分であり、前記容器が、第２の骨セメント成分を収容する、実施態様４５に記載の方法。
（４９）  前記アンプルが、母指圧によって前記第１の方向に移動する、実施態様３５に記載の方法。
（５０）  前記アンプルの前記ヘッド部を、前記長手方向中心軸から離れて横方向及び／又は斜め方向に方向付けることが、前記アンプルの前記ヘッド部を、前記長手方向中心軸に対して斜め方向に角度付けられた剛性平面に沿って並進させることを含む、実施態様３５に記載の方法。
【図１Ａ】
0006312652.tif 000002
【図１Ｂ】
0006312652.tif 000003
【図１Ｃ】
0006312652.tif 000004
【図２】
0006312652.tif 000005
【図３】
0006312652.tif 000006
【図４Ａ】
0006312652.tif 000007
【図４Ｂ】
0006312652.tif 000008
【図４Ｃ】
0006312652.tif 000009